(57)【要約】      （修正有）【課題】部品数が少なく、固定スクロールの移動がスムーズに行なわれるスクロール型圧縮機を提供する。【解決手段】渦巻体を有する固定スクロールと、固定スクロールの渦巻体と噛み合って複数の作動空間を形成する渦巻体を有する可動スクロールと、主軸と、主軸の回転を旋回運動に変換して可動スクロールに伝達する旋回駆動機構と、可動スクロールの自転防止機構と、端面同士を当接させた状態で一体に接合され、固定スクロールと可動スクロールと旋回駆動機構と自転防止機構とを収容する空間を内部に形成する一対の部分ハウジングとを備え、固定スクロールは相対回転不能に且つ可動スクロールに接近離隔する方向に摺動可能にハウジングに係合しており、吐出室に接する固定スクロールの端面と略同径の単一のコイルバネが吐出室内に配設されて固定スクロールを可動スクロールへ向けて付勢する。【選択図】  図１
2006200488.tif 000002
【特許請求の範囲】
【請求項１】
渦巻体を有する固定スクロールと、固定スクロールの渦巻体と噛み合って複数の作動空間を形成する渦巻体を有する可動スクロールと、主軸と、主軸の回転を旋回運動に変換して可動スクロールに伝達する旋回駆動機構と、可動スクロールの自転防止機構と、端面同士を当接させた状態で一体に接合され、固定スクロールと可動スクロールと旋回駆動機構と自転防止機構とを収容する空間を内部に形成する一対の部分ハウジングとを備え、固定スクロールによりハウジングの内部空間が吸入室と吐出室とに区画され、可動スクロールと主軸と旋回駆動機構と自転防止機構とが吸入室内に収容され、固定スクロールは相対回転不能に且つ可動スクロールに接近離隔する方向に摺動可能にハウジングに係合しており、吐出室に接する固定スクロールの端面と略同径の単一のコイルバネが吐出室内に配設されて固定スクロールを可動スクロールへ向けて付勢することを特徴とするスクロール型圧縮機。
【請求項２】
ハウジングにキーが固定され、固定スクロールにキー溝が形成され、前記キーが前記キー溝に相対摺動可能に嵌合して、固定スクロールのハウジングに対する相対回転を防止し且つ固定スクロールを可動スクロールに接近離隔する方向へ案内することを特徴とする請求項１に記載のスクロール型圧縮機。
【発明の詳細な説明】
【技術分野】
【０００１】
本発明はスクロール型圧縮機に関するものである。
【背景技術】
【０００２】
渦巻体を有する固定スクロールと、固定スクロールの渦巻体と噛み合って複数の作動空間を形成する渦巻体を有する可動スクロールと、主軸と、主軸の回転を旋回運動に変換して可動スクロールに伝達する旋回駆動機構と、可動スクロールの自転防止機構と、端面同士を当接させた状態で一体に接合され、固定スクロールと可動スクロールと旋回駆動機構と自転防止機構とを収容する空間を内部に形成する一対の部分ハウジングとを備え、固定スクロールによりハウジングの内部空間が吸入室と吐出室とに区画され、可動スクロールと主軸と旋回駆動機構と自転防止機構とが吸入室内に収容され、固定スクロールは相対回転不能に且つ可動スクロールに接近離隔する方向に摺動可能にハウジングに係合しており、固定スクロールを可動スクロールへ向けて付勢する複数のコイルバネが吐出室内に配設されたスクロール型圧縮機が特許文献１に開示されている。
構成部品の主軸延在方向寸法のばらつきにより、自転防止機構内の部材同士の当接部や一方のスクロールの渦巻体と他方のスクロールの端板との当接部に発生する面圧が圧縮機毎にばらつき、回転トルク特性が圧縮機毎にばらつく可能性がある。従来、部分ハウジングの端面同士の当接部にシムを介挿し、シムの厚みを微調整して部品同士の寸法のばらつきを吸収し、回転トルク特性のばらつきを抑制していた。特許文献１のスクロール型圧縮機においては、コイルバネの付勢力を受けた固定スクロールが可動スクロールに接近離隔することにより、部品同士の寸法のばらつきが吸収され、圧縮機毎の回転トルク特性のばらつきが抑制される。従って、部分ハウジングの端面同士の当接部に介挿していたシムが不要になり、スクロール型圧縮機の組立効率が向上する。
【特許文献１】特開２０００−３２０４７６
【発明の開示】
【発明が解決しようとする課題】
【０００３】
特許文献１のスクロール型圧縮機には、複数のコイルバネを配設しているので部品数が多く、また各コイルバネのバネ定数のばらつきにより、各コイルバネが固定スクロールに印加する付勢力にばらつきが生じ、固定スクロールの移動がスムーズに行なわれない可能性を招くという問題がある。
本発明は上記問題に鑑みてなされたものであり、渦巻体を有する固定スクロールと、固定スクロールの渦巻体と噛み合って複数の作動空間を形成する渦巻体を有する可動スクロールと、主軸と、主軸の回転を旋回運動に変換して可動スクロールに伝達する旋回駆動機構と、可動スクロールの自転防止機構と、端面同士を当接させた状態で一体に接合され、固定スクロールと可動スクロールと旋回駆動機構と自転防止機構とを収容する空間を内部に形成する一対の部分ハウジングとを備え、固定スクロールによりハウジングの内部空間が吸入室と吐出室とに区画され、可動スクロールと主軸と旋回駆動機構と自転防止機構とが吸入室内に収容され、固定スクロールは相対回転不能に且つ可動スクロールに接近離隔する方向に摺動可能にハウジングに係合しており、固定スクロールを可動スクロールへ向けて付勢するコイルバネが吐出室内に配設されたスクロール型圧縮機であって、特許文献１のスクロール型圧縮機に比べて部品数が少なく、固定スクロールの移動がスムーズに行なわれるスクロール型圧縮機を提供することを目的とする。
【課題を解決するための手段】
【０００４】
上記課題を解決するために、本発明においては、渦巻体を有する固定スクロールと、固定スクロールの渦巻体と噛み合って複数の作動空間を形成する渦巻体を有する可動スクロールと、主軸と、主軸の回転を旋回運動に変換して可動スクロールに伝達する旋回駆動機構と、可動スクロールの自転防止機構と、端面同士を当接させた状態で一体に接合され、固定スクロールと可動スクロールと旋回駆動機構と自転防止機構とを収容する空間を内部に形成する一対の部分ハウジングとを備え、固定スクロールによりハウジングの内部空間が吸入室と吐出室とに区画され、可動スクロールと主軸と旋回駆動機構と自転防止機構とが吸入室内に収容され、固定スクロールは相対回転不能に且つ可動スクロールに接近離隔する方向に摺動可能にハウジングに係合しており、吐出室に接する固定スクロールの端面と略同径の単一のコイルバネが吐出室内に配設されて固定スクロールを可動スクロールへ向けて付勢することを特徴とするスクロールを提供する。
本発明に係るスクロール型圧縮機においては、固定スクロールを可動スクロールへ向けて付勢するコイルバネは単一なので、特許文献の１スクロール型圧縮機に比べて部品数が少ない。
コイルバネを、吐出室に接する固定スクロールの端面と略同径とすることにより、固定スクロール全体に略一様な付勢力を印加して、固定スクロールの移動をスムーズにすることかできる。
【０００５】
本発明の好ましい態様においては、ハウジングにキーが固定され、固定スクロールにキー溝が形成され、前記キーが前記キー溝に相対摺動可能に嵌合して、固定スクロールのハウジングに対する相対回転を防止し且つ固定スクロールを可動スクロールに接近離隔する方向へ案内する。
ハウジングに固定したキーを、固定スクロールに形成したキー溝に相対摺動可能に嵌合させることにより、固定スクロールを相対回転不能に且つ可動スクロールに接近離隔する方向に摺動可能にハウジングに係合させることができる。
【発明の効果】
【０００６】
本発明に係るスクロール型圧縮機においては、固定スクロールを可動スクロールへ向けて付勢するコイルバネは単一なので、特許文献の１スクロール型圧縮機に比べて部品数が少ない。
コイルバネを、吐出室に接する固定スクロールの端面と略同径とすることにより、固定スクロール全体に略一様な付勢力を印加して、固定スクロールの移動をスムーズにすることかできる。
【発明を実施するための最良の形態】
【０００７】
本発明の実施例に係るスクロール型圧縮機を説明する。
【実施例１】
【０００８】
図１に示すように、本実施例に係るスクロール型圧縮機は、端板１ａと渦巻体１ｂとを有する固定スクロール１と、端板２ａと渦巻体２ｂとを有する可動スクロール２とを備えている。固定スクロール１と可動スクロール２とは互いにかみ合い、複数対の作動空間３を形成している。
スクロール型圧縮機は、ケーシング４ａとフロントハウジング４ｂとを備えている。ケーシング４ａとフロントハウジング４ｂとは、端面同士を当接させた状態で一体に接合され、固定スクロール１と可動スクロール２とを収容するハウジング４を形成している。ハウジング４の内部空間は、固定スクロールの端板１ａにより、吸入室５と吐出室６とに区画されている。
ケーシング４ａに形成された図示しない吸入ポートが吸入室５に連通している。吸入ポートは外部冷媒回路の低圧側に接続している。
ケーシング４ａに形成された図示しない吐出ポートが吐出室６に連通している。吐出ポートは外部冷媒回路の高圧側に接続している。
【０００９】
吸入室５内に主軸７が配設されている。主軸７はラジアルベアリング８、９を介してフロントハウジング４ｂに回転可能に支持されている。主軸７の一端はフロントハウジング４ｂの外部へ突出している。
電磁クラッチ１０が、ラジアルベアリング１１を介してフロントハウジング４ｂに回転可能に支持されている。
主軸７の他端に偏心ピン１２が固定されている。ブッシュ１３が偏心ピン１２に摺動可能に外嵌合している。ブッシュ１３はラジアルベアリング１４を介して可動スクロール２の端板２ａの背面に形成されたボス２ｃ内に収容されている。
可動スクロール２とフロントハウジング４ｂとの間にボールカップリング１５が配設されている。
【００１０】
固定スクロールの端板１ａの中心に吐出孔１６が形成されている。吐出孔１６は端板１ａに取り付けられた吐出弁１７を介して吐出室６に連通している。
【００１１】
図２に示すように、固定スクロールの端板１ａの、吐出室６側の端面は、吸入室５側へオフセットした周縁部１ｃと、周縁部１ｃに対して相対的に吐出室６側へオフセットした中央部１ｄとにより形成されている。周縁部１ｃの外周縁に、端板１ａを厚さ方向に貫通する複数の切欠１ｅが形成されている。
ケーシング４ａの内周面に環状段部４ｃが形成されている。ケーシング４ａの環状段部４ｃよりも吐出室６寄りの部位は、環状段部４ｃよりも吸入室５寄りの部位よりも肉厚に形成されている。
端板１ａの吐出室６側端面の周縁部１ｃは、隙間Ｓを隔てて環状段部４ｃに対峙している。
ケーシング４ａ薄肉部の環状段部４ｃに近接する部位の内面に形成された、切欠１ｅと同数の凹部４ｄにキー１８が圧入固定され、ケーシング４ａの一部を形成している。キー１８は、固定スクロール１の切欠１ｅに相対摺動可能に嵌合している。端板１ａの吐出室６側端面の周縁部１ｃが隙間Ｓを隔てて環状段部４ｃに対峙し、複数のキー１８が複数の切欠１ｅに相対摺動可能に嵌合した結果、固定スクロール１は、相対回転不能に且つ可動スクロール２に接近離隔する方向に摺動可能にケーシング４ａに係合している。
端板１ａの吐出室６側端面の周縁部１ｃと中央部１ｄとの境界を形成する端板１ａの周側面１ｆと、端板１ａの吐出室６側端面の周縁部１ｃと、ケーシング４ａの肉厚部内周面４ｄとに当接するＯリング１９が配設されている。端板１ａとＯリング１９とが協働して、吸入室５と吐出室６との間の気密隔壁を形成している。従って、端板１ａの吐出室６側端面は中央部１ｄのみが吐出室６に接している。
端板１ａの吐出室６側端面の中央部１ｄと略同径のコイルスプリング２０が、吐出室６内に配設されている。コイルスプリング２０は、固定スクロール１を可動スクロール２へ向けて付勢している。
【００１２】
本実施例に係るスクロール型圧縮機においては、図示しない駆動源の動力が電磁クラッチ１０を介して主軸７の一端に伝達され、主軸７が回転駆動される。主軸７の回転に伴って可動スクロール２が旋回運動し、吸入ポートを通って吸入室５へ吸引された冷媒ガスが、作動空間３内に取り込まれる。ボールカップリング１５により可動スクロール２の自転が阻止される。
作動空間３が体積を減少させつつ固定スクロール１の中心へ向けて移動し、作動空間３内の冷媒ガスが圧縮される。圧縮された冷媒ガスは、固定スクロール１の端板１ａに形成された吐出孔１６と吐出弁１７とを介して吐出室６へ吐出し、図示しない吐出ポートを介して外部冷媒回路の高圧側へ流出する。
【００１３】
構成部品の主軸７延在方向寸法のばらつきにより、ボールカップリング１５のボールとレースとの当接部の面圧や、渦巻体１ｂ、２ｂと端板２ａ、１ａとの当接部の面圧が圧縮機毎にばらつき、回転トルク特性が圧縮機毎にばらつく可能性がある。本実施例に係るスクロール型圧縮機においては、コイルバネ２０の付勢力を受けた固定スクロール１が、可動スクロール２に接近離隔することにより、構成部品の主軸７延在方向寸法のばらつきが吸収され、ボールカップリング１５のボールとレースとの当接部の面圧や、渦巻体１ｂ、２ｂと端板２ａ、１ａとの当接部の面圧の圧縮機毎のばらつきが抑制され、回転トルク特性の圧縮機毎のばらつきが抑制される。従って、ケーシング４ａの端面と、フロントハウジング４ｂの端面との当接部にシムを介挿する必要は無い。
本実施例に係るスクロール型圧縮機においては、固定スクロール１を可動スクロール２へ向けて付勢するコイルバネ２０は単一なので、特許文献の１スクロール型圧縮機に比べて部品数が少ない。
コイルバネ２０を、吐出室６に接する固定スクロール１の端面１ｄと略同径とすることにより、固定スクロール１全体に略一様な付勢力を印加して、固定スクロールの移動をスムーズにすることができる。
【産業上の利用可能性】
【００１４】
本発明は、スクロール型圧縮機に広く利用可能である。
【図面の簡単な説明】
【００１５】
【図１】本発明の実施例に係るスクロール型圧縮機の断面図である。
【図２】本発明の実施例に係るスクロール型圧縮機の構成図である。（ａ）は図１の部分拡大図であり、（ｂ）は固定スクロールを渦巻体の側から見た図であり、（ｃ）はケーシングをフロントハウジングの側から見た図である。
【符号の説明】
【００１６】
１  固定スクロール
１ａ  端板
１ｂ  渦巻体
２  可動スクロール
２ａ  端板
２ｂ  渦巻体
３  作動空間
４  ハウジング
５  吸入室
６  吐出室
１９  Ｏリング
２０  コイルスプリング
【図１】
2006200488.tif 000003
【図２】
2006200488.tif 000004